(57)【要約】【課題】  放射線管理区域内での作業員の作業時間の軽減を図ることができる管理区域入出管理システムを提供する。【解決手段】  管理区域入出管理システムは、作業者情報及び器具に係る情報が入力される情報入力部６と、器具の放射線を測定する放射線測定部３と、携帯用ＩＣタグリーダと情報の伝送を行う携帯用ＩＣタグリーダインターフェース８と、入力された情報に基づいて管理台帳を作成する管理台帳作成手段と、この管理台帳の情報の一部又は全部を表示する表示部５と、管理台帳の情報の一部又は全部を他のゲートに配置された物品搬出モニタ２３に伝送するネットワークインターフェース７と、を有する。【選択図】  図１
2006125958.tif 000002
【特許請求の範囲】
【請求項１】
放射線管理区域に持ち込む器具を管理するゲートの付近に配置された管理区域入出管理システムにおいて、
作業者情報を作業者ＩＤリーダより入力し、器具に取り付けられたＩＣタグに保存されたその器具に係る情報をＩＣタグリーダより入力する情報入力手段と、
前記器具の放射線を測定する放射線測定手段と、
前記入力された情報に基づいて前記持ち込んだ作業者と器具とを関連付ける管理台帳を作成する管理台帳作成手段と、
前記管理台帳の情報の少なくとも一部を表示する表示手段と、
を有することを特徴とする管理区域入出管理システム。
【請求項２】
前記情報入力手段は、前記器具の数を直接入力する手段と、この直接入力したデータと前記ＩＣタグから得られたデータとを比較する手段とを有すること、を特徴とする請求項１記載の管理区域入出管理システム。
【請求項３】
前記情報入力手段は、前記放射線管理区域に入域する入域エリアに係る情報を直接入力する手段を有すること、を特徴とする請求項１又は２記載の管理区域入出管理システム。
【請求項４】
前記放射線測定手段は、前記放射線管理区域を退域するときに器具の放射線測定する汚染測定モードが、前記入域エリアで器具の汚染度に応じて一括測定モード又は個別測定モードに切り替え可能であること、を特徴とする請求項１乃至３のいずれかに記載の管理区域入出管理システム。
【請求項５】
携帯用ＩＣタグリーダと情報の伝送を行う携帯用ＩＣタグリーダインターフェースを有すること、を特徴とする請求項１乃至４のいずれかに記載の管理区域入出管理システム。
【請求項６】
前記管理台帳作成手段は、作業者が放射線管理区域に入域するとき、この作業者の氏名及び所属組織名並びに持ち込まれる器具の種類、形状及び重さが入力され、この入域する時刻と共に管理情報として作成され保存されること、を特徴とする請求項１乃至５のいずれかに記載の管理区域入出管理システム。
【請求項７】
前記管理台帳作成手段は、作業者が放射線管理区域を退域するとき、前記入域するときに作成した管理台帳に前記持ち込まれた器具毎に放射線測定に係る判定結果及び放射線測定値を記入し、さらに前記表示部に汚染された器具について除染の結果を表示すること、を特徴とする請求項１乃至６のいずれかに記載の管理区域入出管理システム。
【請求項８】
前記表示手段は、前記第１の作業者が放射線管理区域を退域する場合、持ち出す器具が前記持ち込んだ器具と相違するときは、この相違する器具に係る情報を表示する手段を有すること、を特徴とする請求項１乃至７のいずれかに記載の管理区域入出管理システム。
【請求項９】
前記携帯用ＩＣタグリーダは、検知範囲を調整すること、を特徴とする請求項１乃至８のいずれかに記載の管理区域入出管理システム。
【請求項１０】
前記管理台帳の情報の少なくとも一部を他のゲートに配置された他の物品搬出モニタに伝送するネットワークインターフェースを有すること、を特徴とする請求項１乃至９のいずれかに記載の管理区域入出管理システム。
【請求項１１】
放射線管理区域に持ち込まれる器具を管理する管理区域入出管理方法において、
作業者が放射線管理区域を入域するときに、作業者情報を作業者ＩＤリーダより入力し、器具に係る情報をＩＣタグリーダより入力しさらに器具に係る放射線量を入力する入域時情報入力ステップと、
前記入力された情報に基づいて前記持ち込んだ作業者と器具とに係る情報を関連付けて保存する管理台帳を作成する管理台帳作成ステップと、
前記作業者が放射線管理区域を退域するときに、作業者情報を作業者ＩＤリーダより入力し、器具に係る情報をＩＣタグリーダより入力しさらに器具に係る放射線量を入力する退域時情報入力ステップと、
前記退域時情報と前記管理台帳に保存された情報を比較する比較ステップと、
前記比較ステップで比較した結果，前記作業者と器具との関係及び器具の放射線量の相違を表示する表示ステップと、
を有することを特徴とする管理区域入出管理方法。
【請求項１２】
放射線管理区域に持ち込む器具を管理する管理区域入出管理プログラムにおいて、
作業者が放射線管理区域を入域するときに、作業者情報を作業者ＩＤリーダより入力し、器具に係る情報をＩＣタグリーダより入力しさらに器具に係る放射線量を入力する入域時情報入力する機能と、
前記入力された情報に基づいて前記持ち込んだ作業者と器具とに係る情報を関連付けて保存する管理台帳を作成する管理台帳作成機能と、
前記作業者が放射線管理区域を退域するときに、作業者情報を作業者ＩＤリーダより入力し、器具に係る情報をＩＣタグリーダより入力しさらに器具に係る放射線量を入力する退域時情報入力機能と、
前記退域時情報と前記管理台帳に保存された情報を比較する比較機能と、
前記比較ステップで比較した結果，前記作業者と器具との関係及び器具の放射線量の相違を表示する表示機能と、
を有することを特徴とする管理区域入出管理プログラム。
【発明の詳細な説明】
【技術分野】
【０００１】
本発明は、放射線管理区域内で使用された器具（工具含む。以下同様）を放射線管理区域から非管理区域に搬出する際に、搬出する器具表面の放射性物質による汚染の有無を検査したり搬入出される器具の置き忘れや紛失の有無を管理する管理区域入出管理システム、その方法及びプログラムに関する。
【背景技術】
【０００２】
この種の物品搬出モニタとして、対象物品を搬送する駆動部、放射線を測定する放射線測定部、結果を表示する表示部、これらの手段をコントロールする計算機から成るシステムが知られている（例えば、特許文献１参照）。
【０００３】
図５に開示されているように、この従来の物品搬出モニタ５６は、放射線測定対象器具を搬送する駆動部５４、この対象器具の放射線を測定する放射線測定部５３、この対象物品の放射線を測定した結果を表示する表示部５５、これらの放射線測定部５３等をインターフェース５２を介してコントロールする計算機５１から構成される。
【０００４】
このように構成された従来の物品搬出モニタにおいては、放射線管理区域内への入域の際は、作業員が管理台帳に、作業者、作業件名、時刻、持ち込み品（器具の員数、種類）等の内容を記入していた。退域時は、手動又は物品搬出モニタで汚染を確認し、員数、種類、汚染の有無等を管理台帳に記入していた。
【０００５】
このように、放射線管理区域内では、作業員の放射性被曝低減等の目的のために作業時間の制約があり短時間で効率のよい作業をするが必要である。このため、器具等の員数、汚染の有無を等を管理するため、放射線管理区域への入退域時は、人間系又は物品搬出モニタで、汚染の有無を確認し管理台帳に必要事項を記載し管理していた。
【０００６】
また、器具等が紛失した場合は、放射線管理区域内における現場で物品を捜すために時間を要し、実質的な作業時間が制約を受ける場合があった。また、管理が人間系で行われるので、勘違い等のケアレスミスの恐れがあった。
【０００７】
更に、放射線管理区域の場合、必要な防御具の装着が義務付けられており、作業性が悪くなり、通常の作業に比べて、物品の員数確認、物品を捜すこと等に、多くの時間を要していた。
【特許文献１】登録実用新案３０６４０２６号公報
【発明の開示】
【発明が解決しようとする課題】
【０００８】
上述した従来の管理区域入出管理システムにおいては、放射線管理区域内では、作業員の放射性被曝の低減等の目的のために作業時間の制約があり短時間で効率のよい作業をする必要があるにも拘らず、放射線管理区域への入退域するときは、物品搬出モニタで放射線測定を行った測定結果、汚染の有無等を作業者が確認し管理台帳に記載しているので多大な時間を要するという課題があった。
【０００９】
また、器具等が紛失した場合は、放射線管理区域内における現場で器具等を捜すのに長時間を要し、実質的な作業時間が制約を受けるという課題があった。
【００１０】
さらに、管理が人間系で行われるので、勘違い等のケアレスミスの恐れがあるという課題があった。
【００１１】
本発明は上記課題を解決するためになされたもので、物品搬出モニタに作業員情報、器具情報並びに器具に係る放射線測定結果を入力することにより、器具の搬出状況等をきめ細かく管理し、放射線管理区域内での作業員の作業時間の軽減を図り、ひいては作業員の被曝低減を図ることができる管理区域入出管理システム、その方法及びプログラムを提供することを目的とする。
【課題を解決するための手段】
【００１２】
上記目的を達成するため、本発明は、放射線管理区域に持ち込む器具を管理するゲートの付近に配置された管理区域入出管理システムにおいて、作業者情報を作業者ＩＤリーダより入力し、器具に取り付けられたＩＣタグに保存されたその器具に係る情報をＩＣタグリーダより入力する情報入力手段と、前記器具の放射線を測定する放射線測定手段と、前記入力された情報に基づいて前記持ち込んだ作業者と器具とを関連付ける管理台帳を作成する管理台帳作成手段と、前記管理台帳の情報の少なくとも一部を表示する表示手段と、を有することを特徴とするものである。
【００１３】
また、上記目的を達成するため、本発明は、放射線管理区域に持ち込まれる器具を管理する管理区域入出管理方法において、作業者が放射線管理区域を入域するときに、作業者情報を作業者ＩＤリーダより入力し、器具に係る情報をＩＣタグリーダより入力しさらに器具に係る放射線量を入力する入域時情報入力ステップと、前記入力された情報に基づいて前記持ち込んだ作業者と器具とに係る情報を関連付けて保存する管理台帳を作成する管理台帳作成ステップと、前記作業者が放射線管理区域を退域するときに、作業者情報を作業者ＩＤリーダより入力し、器具に係る情報をＩＣタグリーダより入力しさらに器具に係る放射線量を入力する退域時情報入力ステップと、前記退域時情報と前記管理台帳に保存された情報を比較する比較ステップと、前記比較ステップで比較した結果，前記作業者と器具との関係及び器具の放射線量の相違を表示する表示ステップと、を有することを特徴とするものである。
【００１４】
また、上記目的を達成するため、本発明は、放射線管理区域に持ち込む器具を管理する管理区域入出管理プログラムにおいて、作業者が放射線管理区域を入域するときに、作業者情報を作業者ＩＤリーダより入力し、器具に係る情報をＩＣタグリーダより入力しさらに器具に係る放射線量を入力する入域時情報入力する機能と、前記入力された情報に基づいて前記持ち込んだ作業者と器具とに係る情報を関連付けて保存する管理台帳を作成する管理台帳作成機能と、前記作業者が放射線管理区域を退域するときに、作業者情報を作業者ＩＤリーダより入力し、器具に係る情報をＩＣタグリーダより入力しさらに器具に係る放射線量を入力する退域時情報入力機能と、前記退域時情報と前記管理台帳に保存された情報を比較する比較機能と、前記比較ステップで比較した結果，前記作業者と器具との関係及び器具の放射線量の相違を表示する表示機能と、を有することを特徴とするものである。
【発明の効果】
【００１５】
本発明によれば、物品搬出モニタに作業員情報を作業者ＩＤリーダにより入力し、器具情報をＩＣタグにより入力し、さらに器具に係る放射線測定結果を入力して、管理台帳を作成することにより、器具をきめ細かく管理し、放射線管理区域内での作業員の作業時間の軽減を図り、ひいては作業員の被曝低減を図ることができる。
【発明を実施するための最良の形態】
【００１６】
以下、本発明に係る管理区域入出管理システム、その方法及びプログラムの実施の形態について、図１乃至図４を参照して説明する。ここで、互いに同一又は類似の部分には共通の符号を付すことにより、重複説明を省略する。
【００１７】
図１は、本発明の実施の形態の管理区域入出管理システムの構成を示すブロック図である。
【００１８】
図１に示すように、放射線管理区域（図２も参照）に持ち込む器具を管理するゲートの付近にコンピュータシステムを用いた管理区域入出管理システムである物品搬出モニタ２１が設置され、他のゲートの付近に他の物品搬出モニタ２３が設置される。この他の物品搬出モニタ２３の台数は、プラントの規模あるいは放射線管理区域内の作業量により様々であり、この構成は、物品搬出モニタ２１の構成とほぼ同一であり、必要に応じて、この構成機器を省略することができる。
【００１９】
この物品搬出モニタ２１、２３は、放射線管理区域（図２も参照）に持ち込む器具を搬送する駆動部４、１３、器具の放射線を測定する放射線測定部３、２４、この器具の放射線を測定した結果を表示する表示部５、１４、これらの放射線測定部３、２４等をインターフェース２、１２を介してコントロールする計算機１、１１から構成される。
【００２０】
物品搬出モニタ２１、２３には、上述の基本構成の他に、次の構成要素が設けられている。
【００２１】
まず、情報入力部６、２５が付加されている。この情報入力部６、２５は、作業者ＩＤリーダ、ＩＣタグリーダから構成される。作業者はＩＤ（Ｉｄｅｎｔｉｔｙ  Ｉｎｆｏｒｍａｔｉｏｎ）カードを携帯する。ＩＤカードには、作業者の氏名、所属する会社名等に係わる情報が記録され、作業者ＩＤリーダを介して情報が読み込まれる。
【００２２】
持ち込まれる器具すべてにＩＣ（Ｉｎｔｅｇｒａｔｅｄ  Ｃｉｒｃｕｉｔ）タグを取り付けておく。ＩＣタグは、マイクロプロセサとメモリから構成され、放射線管理区域に持ち込む器具の種類、形状及び重さ等の情報が記録され、ＩＣタグリーダを介して情報が読み込まれる。
【００２３】
携帯用ＩＣタグリーダ２２と無線（赤外線含む。以下同様）で情報の伝送を行う携帯用ＩＣタグリーダインターフェース８、２６が設けられている。
【００２４】
この携帯用ＩＣタグリーダ２２には、ＩＣタグリーダから構成される情報入力部１９が設けられ、放射線管理区域に持ち込む器具の種類、形状及び重さ等の情報が記録される。
【００２５】
また、携帯用ＩＣタグリーダ２２には、物品搬出モニタ２１と無線で情報の伝送を行う物品搬出モニタインターフェース２０が設けられている。放射線を測定した結果等は表示部１８で表示される。入力された情報はインターフェース１７を介してコントロールする計算機１６で処理される。
【００２６】
なお、この携帯用ＩＣタグリーダ２２は、必要に応じて放射線管理区域内の作業現場に配置される。
【００２７】
これらの入力された情報はインターフェース２、１２を介して計算機１、１１に伝送され、このコンピュータシステムの中の一機能である管理台帳作成手段によって管理台帳が作成される。
【００２８】
上述の放射線測定結果又は管理台帳の情報の一部又は全部は、表示部５で表示される。
【００２９】
また、上述の放射線測定結果又は管理台帳の情報の一部又は全部は、ネットワークインターフェース７、１５を介して、物品搬出モニタ２１と物品搬出モニタ２３との間で伝送される。
【００３０】
このように、物品搬出モニタ２１、２３には、作業者ＩＤカード読取機能、器具ＩＣタグ読取機能、管理台帳作成・記録・保存機能、汚染情報表示機能、汚染した器具情報ネットワーク伝達機能、携帯用ＩＣタグリーダへの情報伝達機能等の機能が新たに付加されている。
【００３１】
このように構成された本実施の形態において、放射線管理区域内へ入域するとき、作業員は、ＩＤカードを物品搬出モニタ２１、２３の作業者ＩＤに挿入又はかざして作業員個人を認知させる。この入力された作業者情報、器具に係る情報並びに器具に係る放射線測定結果に基づいて管理台帳が作成され、この管理台帳により、器具に関する管理情報が共有される。
【００３２】
本実施の形態によれば、物品搬出モニタに作業員情報をＩＤカードにより入力し、器具情報をＩＣタグにより入力し、さらに器具に係る放射線測定結果を入力して、管理台帳を作成することにより、器具をきめ細かく管理し、放射線管理区域内での作業員の作業時間の軽減を図り、ひいては作業員の被曝低減を図ることができる。
【００３３】
図２は、図１の物品搬出モニタ２１の放射線測定部３、２４及びその駆動部４、１３の構成を示す説明図であり、図３は、図１の物品搬出モニタの放射線測定部及びＩＣタグリーダを示す詳細図である。
【００３４】
図２及び図３に示すように、物品搬出モニタ２１の放射線測定部３の放射線管理区域外側部分に、持ち込む器具３２を載せ、搬送用ベルト３３を入域時搬送移動方向へ移動させて、搬送物である器具３２に取り付けられたＩＣタグ３２ａをＩＣタグリーダ位置に移動し、持ち込む器具３２を認知する。
【００３５】
物品搬出モニタ２１の放射線検出器３６は、感度を向上させため搬送用ベルト３３の真下に設置されている。この放射線検出器３６は、上部から入射する放射線をプラスチックシンチレータ３７で光に変換し、光電子増倍管（ＰＭＴ）３８で光を電気信号に変換し測定している。外部からの光が入射しないようにアルミニウム膜付きのマイラシート３９で遮光をしている。一方、ＩＣタグリーダの読み取りアンテナ４０も、読み取り率向上のため、できるだけＩＣタグ３２ａと近接させる必要があり、アルミニウム膜付きのマイラシート３９と搬送用ベルト３３との間にシート状アンテナ４０として設置する。
【００３６】
しかし、アルミニウム膜付きマイラシート３９のアルミニウム層に、アンテナ４０に流れる電流の逆方向の電流が流れて発生する磁場をキャンセルし、アンテナが有効に動作しなくなる恐れがある。このため、アルミニウム膜付きマイラシート３９のアルミニウム層の電気抵抗を大きくして誘導電流が流れないようにする必要がある。このため、アルミニウム層の厚みは数ミクロン以下とする。したがって、遮光に必要なアルミニウム厚みは、必要な枚数重ねて形成するものとする。また、アンテナ４０の周波数は、放射線測定回路の周波数帯域と合致するとノイズの原因となるため、１００ｋＨｚ以下とする。
【００３７】
このように構成された本実施の形態において、ＩＤ情報、ＩＣタグ情報、手入力情報より、管理台帳（作業者氏名、入域エリア、持ち込み時刻、持ち込み器具の員数、種類、形状、重さなど）を自動的に作成、記録保存する。この際、器具の員数並びに入域エリアは人間系で入力（デフォルト候補から選択）する。
【００３８】
器具の員数を人間系で入力する理由は、ＩＣタグリーダである読み取り器の誤動作を避けるためである。
【００３９】
測定エリアを人間系で入力する理由は、入域エリアがその日毎に変わる情報だからである。すなわち、この手入力による情報が必要な理由は、入域エリアの汚染度に応じて汚染測定モード（一括測定モード、個別測定モード）を自動又は手動で切り替え、測定時間の短縮を行うためである。
【００４０】
一括モードは、汚染の可能性の少ないエリアでの作業の場合、自動又は手動でこのモードを選択し、物品搬出モニタ２１の放射線測定部３に１度に器具３２を並べて、各器具３２のＩＣタグ情報を一括で読み込み、放射線も同時に測定する。汚染の確率が低いため、数十回に１回程度汚染があったとしても、全体の時間短縮が可能となるためである。万一汚染があった場合は、物品搬出モニタ２１の放射線測定部３の搬送方向を逆３４ａにし、個別測定モードに切り換えて放射線測定を行う。  
個別測定モードは、汚染の可能性の高いエリアでの作業の場合、手動又は自動でモードを選択し、個々の器具３２を順番に物品搬出モニタ２１の放射線測定部３の搬送用ベルト３３に載せ、器具３２毎に汚染を測定する。
【００４１】
一括モードを選択した場合、管理台帳の記載は、汚染がない場合は「良」とする。汚染があった場合は、個別モードの測定結果に基き、「不良」とし、参考値として測定結果を記録する。
【００４２】
次に、退域するときは、作業者は、ＩＤカードを物品搬出モニタ２１の作業者ＩＤリーダに挿入又はかざして認知させる。次に、持ち込んだ器具３２を物品搬出モニタ２１の搬送用ベルト３３に載せる。放射線管理区域側の入域エリアの汚染度に従い、手動又は自動で測定モードを選択し、放射線測定を行う。放射線測定結果により、放射線管理区域へ入域するときに作成した管理台帳に、自動的に、各器具３２毎に判定結果及び測定値が記録、保存される。汚染された器具３２については、除染の指示を表示部５に表示する。
【００４３】
放射線測定するとき、器具３２の過不足が見出される場合がある。器具３２が不足する場合は、この器具の種類と形状を表示部５に表示する。逆に、器具３２の員数が多い場合は、ＩＣタグのデータを記録されたデータと比較することにより、この器具の持ち込み者である第２の作業者の氏名が表示される。第１の作業者は、表示部５で指定された場所にこの器具を移動する。また、この器具の持ち主である第２の作業者が、ＩＤカードを入力部６に差し込んだときに、この器具の保管場所を表示部５に表示するようにする。
【００４４】
また、この物品搬出モニタ２１は、現場での器具の管理を容易とするために、図１に示すように、携帯用ＩＣタグリーダ２２に対して、器具に係る管理情報（員数、種類、形状、重さ等）を無線、赤外線等で伝送する機能を有するインターフェース８を設ける。
【００４５】
このため、携帯用ＩＣタグリーダ２２には、物品搬出モニタ２１から管理情報（員数、種類、形状等）を受け取り保存する機能を有する物品搬出モニタインターフェース２０を設ける。
【００４６】
また、現場で器具の員数確認する場合は、他作業者の器具を間違って認識しないように、検知範囲を狭く調整でき、紛失器具を探すときは検知範囲を広く調整できるように検知範囲を可変とすることができる機能を持たせる。このようにして、携帯用ＩＣタグリーダ２２の感度を高くすることにより、おおよその位置を特定し、その後順次感度を低くして不明な器具の正確な場所を特定することができる。
【００４７】
さらに、汚染が確認された器具が、除染が未実施のまま勘違い等により放射線管理区域外に持ち出されることを防止するために、ネットワークで接続された他のゲートに配置された他の物品搬出モニタ２３に、汚染した工具又は機器に係るＩＣタグ情報を予め伝送しておく。この伝送されてきた汚染器具に係るＩＣタグ情報は各ゲートに配置された物品搬出モニタ２３に記録され保存される。このようにして、この汚染器具を携帯する作業者が各ゲートを通過するときは、通行の阻止の情報及び汚染器具の所持の情報が表示部に表示される。
【００４８】
図４は、本発明の実施の形態の管理区域入出管理システムの動作方法の手順を示すブロック図である。
【００４９】
図４及び図１に示すように、入域時情報入力ステップＳ１において、放射線管理区域（図２も参照）に持ち込む器具を管理するゲートの付近に配置され物品搬出モニタ２１に、作業者情報は情報入力部６を構成する作業者ＩＤリーダにより入力され、器具３２に係る情報は情報入力部６を構成するＩＣタグリーダにより入力され、さらに放射線測定部３で計測された器具に係る放射線量が入力される。
【００５０】
管理台帳作成ステップＳ２において、入力された作業者情報、器具情報並びに器具に係る放射線測定結果に基づいて前記持ち込んだ作業者と器具とを関連付ける管理台帳が作成される。
【００５１】
退域時情報入力ステップＳ３において、放射線管理区域（図２も参照）に持ち込む器具を管理するゲートの付近に配置され物品搬出モニタ２１に、作業者情報は情報入力部６を構成する作業者ＩＤリーダにより入力され、器具３２に係る情報は情報入力部６を構成するＩＣタグリーダにより入力される。このとき。放射線測定部３によって、器具３２の放射線量も測定する。
【００５２】
比較ステップＳ４において、前記入域時情報と退域時情報とは比較判断される。
【００５３】
表示ステップＳ５において、上述の入域時情報と退域時情報とを比較判断された結果、これらに不一致がある場合は、警報が表示される。また、どのように不一致かが表示される。
【００５４】
このように構成された本実施の形態において、入力された作業者情報、器具に係る情報及び器具に係る放射線測定結果に基づいて管理台帳が作成され、この管理台帳により、器具に関する情報が共有される。
【００５５】
本実施の形態によれば、物品搬出モニタに作業員情報をＩＤカードにより入力し、器具情報をＩＣタグにより入力し、さらに器具に係る放射線測定結果を入力して、管理台帳を作成することにより、器具をきめ細かく管理し、放射線管理区域内での作業員の作業時間の軽減を図り、ひいては作業員の被曝低減を図ることができる。
【図面の簡単な説明】
【００５６】
【図１】本発明の実施の形態の管理区域入出管理システムの構成を示すブロック図。
【図２】図１の管理区域入出管理システムの放射線測定部及び駆動部の構成を示す説明図。
【図３】図１の管理区域入出管理システムの放射線検出部及びＩＣタグリーダ部を示す詳細図。
【図４】本発明の実施の形態の管理区域入出管理システムの動作方法の手順を示すブロック図。
【図５】従来の管理区域入出管理システムの構成を示すブロック図。
【符号の説明】
【００５７】
１・・・計算機、２・・・インターフェース、３・・・放射線測定部、４・・・駆動部、５・・・表示部、６・・・情報入力部（作業者ＩＤリーダ、ＩＣタグリーダ）、７・・・ネットワークインターフェース、８・・・携帯用ＩＣタグリーダインターフェース、１１・・・計算機、１２・・・インターフェース、１３・・・駆動部、１４・・・表示部、１５・・・ネットワークインターフェース、１６・・・計算機、１７・・・インターフェース、１８・・・表示部、１９・・・情報入力部（ＩＣタグリーダ）、２０・・・物品搬出モニタインターフェース、２１・・・物品搬出モニタ、２２・・・携帯用ＩＣタグリーダ、２３・・・他の物品搬出モニタ、３２・・・器具、３３・・・搬送用ベルト、３６・・・放射線検出器、３７・・・プラスチックシンチレータ、３８・・・光電子増幅管（ＰＭＴ）、３９・・・アルミニウム膜付きマイラシート、４０・・・シート状アンテナ、５１・・・計算機、５２・・・インターフェース、５３・・・放射線測定部、５４・・・駆動部、５５・・・表示部、５６・・・物品搬出モニタ
【図１】
2006125958.tif 000003
【図２】
2006125958.tif 000004
【図３】
2006125958.tif 000005
【図４】
2006125958.tif 000006
【図５】
2006125958.tif 000007